(57)【要約】【課題】  一定の力で引っ張ることで、オス部分とメス部分がスムーズにはずれ、安全に器具を取りはずすことが可能なペット用留め器具を提供する。【解決手段】  オス部分１とメス部分２はプラスチック材料からなり、オス部分の先端は丸い面１１を形成する。丸い面１１の両側にはそれぞれ側面のくぼみ１３が設けられる。メス部分２のバックルの面２１とふたつのバネの間には内部空間を形成する。バネ２２の外側にはせまい槽２５があって、内側は先端のカーブを描いた突起部分２２１と後部のへこみ部分が連なって一つになり、オス部分１がメス部分２にはまり込んで締まる。オス部分１とメス部分２がある一定の力で引っ張られると、そのオス部分１はメス部分２の後部、底面の両方から離脱して、スムーズにはずれ、安全に器具をはずすことが可能である。【選択図】    図４
0003102009.tif 000002
【実用新案登録請求の範囲】
【請求項１】
プラスチック材料により成形されているオス部分とメス部分とを備え、
オス部分の先端には階段状に成形された丸い面を有し、丸い面の表面は突出した外側の丸い面を形成し、丸い面の両側にはそれぞれ側面のくぼみが設けられ、後部には切れ込みが設けられ、切れ込みの中には横棒を備え、ネックベルトを取り付けるように構成され、
メス部分のバックルの面は平らであり、面部分の下方には二つのバネを有し、面部分とふたつのバネの間には内部空間を形成し、その二つのバネの内側は先端のカーブを描いた突起部分と後部のへこみ部分が連なって一つになり、二つのバネの内側には空洞部分が形成され、オス部分の表面のデザインとなり、その空洞部分は内部空間と通じており、バネの外側にはそれぞれせまい槽が形成され、メス部分の後部には切れ込みが設けられ、切れ込みの中には横棒を備え、ネックベルトのもう一方の端を取り付けるように構成され、
オス部分がメス部分にはまり込むと、メス部分の二つのバネがオス部分の丸い面を挟んで固定し、オス部分の外側の丸い面は、メス部分のバックルの面部分と二つのバネの間の内部空間に収納されて、オス部分とメス部分がある一定の力で引っ張られると、オス部分はメス部分の後部、底面両方から離脱し、スムーズにはずれて、安全に器具が取り外し可能となることを特徴とするペット用留め器具。
【考案の詳細な説明】
【技術分野】
【０００１】
本考案は、ペット用留め器具に関する。
【背景技術】
【０００２】
現在、ペット用品はさまざまな種類がある。その中にはペットの習性に合わせて開発された専用品も少なくない。例えば、一般の家庭で飼われている犬や猫などのペットには、通常首にベルトがつけられている。これは、人に飼われていて、飼い主のいることを表わす意味があると同時に、散歩の際に連れて歩きやすいように、ネックベルトにチェーンベルトを取り付けるという意味もある。
【０００３】
しかしながら、往々にしてペットは飼い主の思うようにならず、勝手な方向に行こうとし、時には、転がったり、回ったり、跳び上がったりすることがある。その際、チェーンが首に巻きついてしまい、早くはずしてやらないと呼吸困難や窒息死といった事故につながる危険性もある。
【０００４】
このため、図１Ａ、図１Ｂに示すように、一定の力で引っ張られると止め器具のオス部分とメス部分が即時に分離して、ペットをチェーンが巻きつく事故から守るタイプのベルトが開発された。そのオス部分Ａとメス部分Ｂのはめ込み方式は、オス部分Ａの左、中、右の三つの固定はさみ部分Ａ１が、メス部分Ｂの三つの固定はさみ部分Ｂ１を受けるくぼみにはまり込んで、三つの位置で結合部分を形成するようになっている。その部分を分離するには、オス部分Ａとメス部分Ｂをある一定の力で引っ張るだけで、水平方向にはずれるように構成されている。
【考案の開示】
【考案が解決しようとする課題】
【０００５】
しかしながら、このタイプは、緊急の際に分離するようになっているものの、何度か使用すると、問題があることに気付く。元々の設計構造は、オス部分Ａが水平角度でメス部分Ｂの中に挿入されるようになっている。同様に分離する際も水平角度で離脱するはずである。ところが、実際はペットが勝手に転がったり、回ったりした時、常にちょうど元の設計通りに水平にはずれるということは不可能である。つまり、首に取り付けてあるオス部分Ａとメス部分Ｂの両者の離脱角度はちょうど同一線上の水平方向ではないということである。オス部分Ａとメス部分Ｂはそれぞれ異なった方向や角度で引っ張り合い、両者の偏差角度がそれほど大きくない時に、むりやり引っ張る形ではずれてしまうことになる。この時、そのネックベルトは、ペットを傷つける潜在的な危険性を持つことが考えられる。さらに、前述のように、オス部分Ａとメス部分Ｂがむりやり引っ張り合ってはずれると、元々のオス部分Ａとメス部分Ｂが、三つのポイントによって結合するという形式、特に、オス部分Ａの左、中、右の三つの固定はさみ部分Ａ１が折れたり、その他の予測できない破損や破壊が生じることがあり、オス部分Ａとメス部分Ｂは、はなはだしい破損によって、固定不可能となることも考えられる。
【０００６】
したがって本考案の目的は、一定の力で引っ張ることで、オス部分とメス部分がスムーズにはずれ、安全に器具を取りはずすことが可能なペット用留め器具を提供することにある。
【課題を解決するための手段】
【０００７】
上述の目的を達成するために本考案の請求項に記載のペット用留め器具は、そのオス部分とメス部分がプラスチック材料により成形されている。オス部分の先端は階段状に成形されたい丸い面を有し、丸い面の表面は突出した外側の丸い面を形成する。丸い面の両側にはそれぞれ側面のくぼみが設けられている。メス部分のバックルの面とふたつのバネの間には内部空間を形成する。そのバネの外側にはそれぞれせまい槽があって、内側は先端のカーブを描いた突起部分と後部のへこみ部分が連なって一つになる。そして、二つのバネの内側には空洞部分が形成され、オス部分の表面のデザインとなる。その空洞部分は内部空間と通じている。オス部分がメス部分にはまり込むと、メス部分の二つのバネがオス部分の丸い面を挟んで固定し、オス部分の外側の丸い面は、メス部分のバックルの面部分と二つのバネとの間の内部空間に収納される。そして、オス部分とメス部分がある一定の力で引っ張られると、オス部分はメス部分の後部、底面両方から離脱し、スムーズにはずれて、安全に器具がはずれるように構成されている。
【考案を実施するための最良の形態】
【０００８】
以下、本考案の実施例を図面に基づいて説明する。
図２Ａ、図２Ｂ、図２Ｃ及び図３Ａ、図３Ｂに示すように、本考案の実施例によるペット用留め器具は、一組のプラスチック材料により成形された、オス部分とメス部分からなる。そのオス部分１は先端が階段状の丸い面１１を有し、丸い面１１の表面には外側の丸い面１２が突き出している。そして、丸い面１１の両側には、それぞれ向き合った側面のくぼみ１３が設けられている。後部にはそれぞれ切れ込み１４が設けられ、切れ込み１４の中には横棒１５を備える。ネックベルト３を取り付けるように構成されている。メス部分２のバックルの面部分２１は平らで、その面部分２１の下方には二つのバネ２２を有する。そのうち、面部分２１と二つのバネ２２の間には内部空間２３が形成され、その二つのバネ２２の内側は、先端のカーブを描いた突起部分２２１と、後部のへこみ部分２２２が連なって一つになっているので、二つのバネ２２の内側に形成された空洞部分２４がオス部分１の丸い面１１のデザインとなる。空洞部分２４と内部空間２３が貫通していて、且つ、バネ２２の外側にそれぞれせまい槽２５があって、メス部分２の後部が切れ込み２６で、切れ込み２６の中に横棒２７があることで、ネックベルト３のもう一方の端を取り付けることができる（図３Ａ、図３Ｂ）。
【０００９】
図４に示すように、オス部分１がメス部分２にはめ込まれる時、オス部分１の丸い面１１はメス部分２の二つのバネ２２の空洞部分２４にはまり込む。そして、図５に示すように、二つのバネ２２の先端のカーブを描いた突起部分２２１が丸い面１１両側の側面のくぼみ１３を挟んで固定する。さらに図５Ｂ、図５Ｃに示すように、オス部分１の外側の丸い面１２は、メス部分２の面部分２１と二つのバネ２２の間の内部空間２３に位置する。それから、ネックベルト３をペットに取り付ける。図６に示すように、ネックベルト３をはずす必要が生じた時は、オス部分１とメス部分２をある一定の力で引っ張ると、オス部分１はメス部分２の後部から水平角度で、二つのバネ２２を開いてはずれる。
【００１０】
ペットに取り付けたネックベルト３は、オス部分Ａ、メス部分Ｂ両者がはずれる時、同一軸線の水平方向ではない力が働いた場合、つまり、オス部分Ａとメス部分Ｂが、異なった角度方向で引っ張り合った時、メス部分２の面部分２１のもう一つの面、つまり、バネ２２内側の空洞部分２４が、内部空間２３と貫通していることにより、オス部分Ａとメス部分Ｂが異なった角度で引っ張り合っても、そのオス部分１の丸い面１１はいつもメス部分２の元々二つのバネ２２内側の空洞部分２４にあり、引っ張る方向によって、オス部分１の丸い面１１は空洞部分２４の外側に移動する。そして、両者がプラスチック材料であるための弾力性により、オス部分１はスムーズに異なった角度でもメス部分２から離脱する。このように、本考案のペット用留め器具は、オス部分Ａの両面が常にメス部分Ｂに覆われていることにより、単一水平角度でしか操作しない従来のタイプに比べてより実用的であるという特長を持つ。
【００１１】
本実施例によるペット用留め器具は、そのオス部分とメス部分がプラスチック材料からなり、オス部分の先端は階段状になった丸い突出した外側の丸い面を形成する。丸い面の両側にはそれぞれ側面のくぼみが設けられている。そして、メス部分のバックルの面とふたつのバネの間には内部空間を形成する。そのバネの外側にはそれぞれせまい槽があって、内側は先端のカーブを描いた突起部分と後部のへこみ部分が連なって一つになっている。そして、オス部分がメス部分にはまり込んで締まるようになっている。オス部分とメス部分がある一定の力で引っ張られると、そのオス部分はメス部分の後部、底面の両方から離脱して、スムーズにはずれ、安全に器具をはずすことが可能であるという特長を持つ。
【図面の簡単な説明】
【００１２】
【図１Ａ】従来のペット用留め器具の構造の立体見取り図である。
【図１Ｂ】従来のペット用留め器具を水平方向から見て、はずした状態を示す見取り図である。
【図２Ａ】本考案の実施例によるペット用留め器具を示す金具のオスの部分を示す立体図である。
【図２Ｂ】本考案の実施例によるペット用留め器具の金具のオスの部分を示す裏から見た図である
【図２Ｃ】本考案の実施例によるペット用留め器具の金具のオスの部分を示す裏から見た立体断面図である。
【図３Ａ】本考案の実施例によるペット用留め器具の金具のメスの部分を示す立体図である。
【図３Ｂ】本考案の実施例によるペット用留め器具の金具のメスの部分を示す立体断面図である。
【図４】本考案の実施例によるペット用留め器具の金具を締める際の状態を示す図である。
【図５Ａ】本考案の実施例によるペット用留め器具の金具を締めた状態を示す立体図である。
【図５Ｂ】本考案の実施例によるペット用留め器具の金具を締めた状態で上から見た図である。
【図５Ｃ】本考案の実施例によるペット用留め器具の金具を締めた状態を示す断面図である。
【図６】本考案の実施例によるペット用留め器具の金具を水平方向から見て、はずした状態を示す図である。
【図７Ａ】本考案の実施例によるペット用留め器具において金具のオスの部分がメス部分の底面からはずれる状態を示す図（一）である。
【図７Ｂ】本考案の実施例によるペット用留め器具において金具のオスの部分がメス部分の底面からはずれる状態を示す図（二）である。
【図７Ｃ】本考案の実施例によるペット用留め器具において金具のオスの部分がメス部分の底面からはずれる状態を示す図（三）である。
【図７Ｄ】本考案の実施例によるペット用留め器具において金具のオスの部分がメス部分の底面からはずれる状態を示す図（四）である。
【符号の説明】
【００１３】
１  金具のオス部分、２  金具のメス部分、３  ネックベルト、１１  丸い面、１２  外側の丸い面、１３  側面のくぼみ、１４  切れ込み、１５  横棒、２１  バックルの面、２２  バネ、２３  内部空間、２４  空洞部分、２５  狭い槽、２６  切れ込み、２７  横棒、２２１    カーブを描いた突起部分、２２２  へこみ部分、Ａ  金具のオス部分，Ａ１  固定はさみ部分、Ｂ  金具のメス部分、Ｂ１  定はさみ部分を受けるくぼみ
【図１Ａ】
0003102009.tif 000003
【図１Ｂ】
0003102009.tif 000004
【図２Ａ】
0003102009.tif 000005
【図２Ｂ】
0003102009.tif 000006
【図２Ｃ】
0003102009.tif 000007
【図３Ａ】
0003102009.tif 000008
【図３Ｂ】
0003102009.tif 000009
【図４】
0003102009.tif 000010
【図５Ａ】
0003102009.tif 000011
【図５Ｂ】
0003102009.tif 000012
【図５Ｃ】
0003102009.tif 000013
【図６】
0003102009.tif 000014
【図７Ａ】
0003102009.tif 000015
【図７Ｂ】
0003102009.tif 000016
【図７Ｃ】
0003102009.tif 000017
【図７Ｄ】
0003102009.tif 000018